(57)【要約】      （修正有）【課題】受取人に与えるインパクトを高めることの可能な名刺を提供する。【解決手段】折り畳み及び展開が可能な名刺１０において、中央片１７と、中央片１７の周囲を囲む位置に配置された複数の構成片１８〜２５と、を有し、中央片１７と複数の構成片１８〜２５との接続箇所にそれぞれ設けられた第一折り部２６〜２９と、複数の構成片間に設けられた第二折り部３０〜３７とを有し、かつ、複数の構成片１８〜２５が、中央片１７へ接近するように折り畳まれる過程、及び複数の構成片１８〜２５が、中央片１７から離反するように展開される過程で、第一折り部２６〜２９により中央片１７を所定角度の範囲で回転させる。【選択図】図１
0003233430.tif 000002
【実用新案登録請求の範囲】
【請求項１】
折り畳み及び展開が可能な名刺において、
主構成片と、
前記主構成片の周囲を囲む位置に配置された複数の副構成片と、
前記主構成片と前記複数の副構成片とを接続し、かつ、前記複数の副構成片が前記主構成片へ接近するように折り畳まれる過程、及び前記複数の副構成片が前記主構成片から離反するように展開される過程で、前記主構成片を所定角度の範囲で回転させる折り部と、
を有する、名刺。
【請求項２】
請求項１記載の名刺において、
前記主構成片は、正方形であり、
前記折り部は、前記主構成片の４辺に相当する位置にそれぞれ設けられている、名刺。
【請求項３】
請求項１または請求項２記載の名刺において、
前記主構成片に情報が記載され、かつ、少なくとも１つ以上の前記副構成片に情報が記載されている、名刺。
【考案の詳細な説明】
【技術分野】
【０００１】
本開示は、折り畳み及び展開が可能な名刺に関する。
【背景技術】
【０００２】
折り畳み及び展開が可能な名刺の一例が、特許文献１に記載されている。特許文献１に記載された名刺は、縦方向の折り線を介して横方向に連接された３葉片以上からなる一組の単位シートが、横方向の折り線を介して縦方向に２組連接されている。また、特許文献１には、２枚の葉片それぞれに情報を記載できるため、受取人に伝達することが可能な情報が倍になり、また２枚の葉片を分離して使用するに際してそれぞれ異なる役目をさせることが可能になる、と記載されている。
【先行技術文献】
【特許文献】
【０００３】
【特許文献１】特開２０２０−１７５６３７号公報
【考案の概要】
【考案が解決しようとする課題】
【０００４】
本願考案者は、特許文献１に記載されている名刺は、受取人に与えるインパクトの点で改善の余地がある、という課題を認識した。
【０００５】
本開示の目的は、受取人に与えるインパクトを高めることの可能な名刺を提供することである。
【課題を解決するための手段】
【０００６】
本開示の名刺は、折り畳み及び展開が可能な名刺において、主構成片と、前記主構成片の周囲を囲む位置に配置された複数の副構成片と、前記主構成片と前記複数の副構成片とを接続し、かつ、前記複数の副構成片が前記主構成片へ接近するように折り畳まれる過程、及び前記複数の副構成片が前記主構成片から離反するように展開される過程で、前記主構成片を所定角度の範囲で回転させる折り部と、を有する。
【考案の効果】
【０００７】
本開示の名刺は、折り畳まれる過程及び展開される過程で、主構成が所定角度の範囲で回転するため、名刺の受取人に与えるインパクトが高くなる。
【図面の簡単な説明】
【０００８】
【図１】本開示の名刺が展開された状態の正面図である。
【図２】本開示の名刺が展開された状態の背面図である。
【図３】本開示の名刺を折り畳む過程の第１段階を示す図である。
【図４】本開示の名刺を折り畳む過程の第２段階を示す図である。
【図５】本開示の名刺が折り畳まれた状態の正面図である。
【図６】本開示の名刺が折り畳まれた状態の背面図である。
【考案を実施するための形態】
【０００９】
以下、本開示の名刺の実施形態を図面に基づいて説明する。なお、名刺の実施形態を説明するための全図において、同一部には原則として同一の符号を付し、その繰り返しの説明は省略する。
【００１０】
図１及び図２には、名刺１０が展開された状態で示され、図５及び図６には、名刺１０が折り畳まれた状態で示されている。名刺１０は、厚さが一例として０．５ｍｍ未満の紙製であり、名刺１０は、展開された状態においてシート状である。紙の材質は、マットコート紙、上質紙、コート紙、アラベール紙、ヴァンヌーボ紙等のうちの何れでもよい。色は何色でもよく、記載（印刷）される情報、例えば、文字、記号、ロゴ、マーク、図、写真、絵、模様等を認識可能であればよい。
【００１１】
名刺１０は、図１及び図２に示す平面形状が共に四角形、例えば、長方形である。名刺１０は、展開されたシート状である状態で、互いに平行な２つの第１外縁１１，１２と、２つの第１外縁１１，１２の端部同士をつなぐ２つの第２外縁１３，１４と、を有する。２つの第２外縁１３，１４は、互いに平行である。２つの第１外縁１１，１２のそれぞれの長さは同一であり、２つの第２外縁１３，１４のそれぞれの長さは同一である。第１外縁１１，１２のそれぞれの長さは、第２外縁１３，１４のそれぞれの長さより大きい。名刺１０は、第１面１５及び第２面１６を有する。
【００１２】
名刺１０は、中央片１７、第１構成片１８、第２構成片１９、第３構成片２０、第４構成片２１、第５構成片２２、第６構成片２３、第７構成片２４及び第８構成片２５を有する。中央片１７は、名刺１０の中央に配置され、第１構成片１８、第２構成片１９、第３構成片２０、第４構成片２１、第５構成片２２、第６構成片２３、第７構成片２４及び第８構成片２５は、中央片１７を囲むように配置されている。
【００１３】
中央片１７は、表面１７Ａ及び裏面１７Ｂを有し、表面１７Ａは、第１面１５の一部であり、裏面１７Ｂは、第２面の一部である。表面１７Ａには、会社におけるポジションとして代表取締役、氏名、氏名の英字等が、記載（印刷）されている。裏面１７Ｂには、会社のシンボル、文字等が記載されている。
【００１４】
本実施形態では、図１のように、氏名が記載された表面１７Ａを目視できる状態を、便宜上、名刺１０の展開状態における平面視（正面視）と定義している。また、図２のように、第２面１６を目視できる状態を、便宜上、名刺１０の展開状態における背面視と定義している。
【００１５】
中央片１７は、平面視で略四角形、例えば、正方形である。中央片１７の４辺に相当する箇所に、それぞれ折り部２６，２７，２８，２９が設けられている。折り部２６，２７，２８，２９は、何れも直線状である。折り部２６，２８は互いに平行であり、折り部２７，２９は、互いに平行である。第８構成片２５は、正面視で略台形であり、第８構成片２５は、折り部２５を介して中央片１７に接続されている。第８構成片２５は、表面２５Ａ及び裏面２５Ｂを有し、表面２５Ａは、第１面１５の一部であり、裏面２５Ｂは、第２面１６の一部である。表面２５Ａ及び裏面２５Ｂには、何も記載されていない。
【００１６】
第２構成片１９は、正面視で略台形であり、第２構成片１９は、折り部２７を介して中央片１７に接続されている。第２構成片１９は、表面１９Ａ及び裏面１９Ｂを有し、表面１９Ａは、第１面１５の一部であり、裏面１９Ｂは、第２面１６の一部である。表面１９Ａには記載が無く、裏面１９Ｂには文字が記載されている。
【００１７】
第１構成片１８は、正面視で略四角形、例えば、長方形であり、第１構成片１８は、折り部３０を介して第２構成片１９に接続され、かつ、折り部３１を介して第８構成片２５に接続されている。第１構成片１８は、表面１８Ａ及び裏面１８Ｂを有し、表面１８Ａは、第１面１５の一部であり、裏面１８Ｂは、第２面１６の一部である。表面１８Ａには会社名が記載され、裏面１８Ｂにはマークが記載されている。
【００１８】
第４構成片２１は、正面視で略台形であり、第４構成片２１は、折り部２８を介して中央片１７に接続されている。第４構成片２１は、表面２１Ａ及び裏面２１Ｂを有し、表面２１Ａは、第１面１５の一部であり、裏面２１Ｂは、第２面１６の一部である。表面２１Ａには記載が無く、裏面２１Ｂには文字が記載されている。
【００１９】
第３構成片２０は、正面視で略四角形、例えば、長方形であり、第３構成片２０は、折り部３２を介して第２構成片１９に接続され、かつ、折り部３３を介して第４構成片２１に接続されている。第３構成片２０は、表面２０Ａ及び裏面２０Ｂを有し、表面２０Ａは、第１面１５の一部であり、裏面２０Ｂは、第２面１６の一部である。表面２０Ａにはモバイル番号が記載され、裏面２０Ｂには文字、例えば、キャッチフレーズが記載されている。
【００２０】
第６構成片２３は、正面視で略台形であり、第６構成片２３は、折り部２９を介して中央片１７に接続されている。第６構成片２３は、表面２３Ａ及び裏面２３Ｂを有し、表面２３Ａは、第１面１５の一部であり、裏面２３Ｂは、第２面１６の一部である。表面２３Ａには記載が無く、裏面２３Ｂには文字が記載されている。
【００２１】
第５構成片２２は、正面視で略四角形、例えば、長方形であり、第５構成片２２は、折り部３４を介して第４構成片２０に接続され、かつ、折り部３５を介して第６構成片２３に接続されている。第５構成片２２は、表面２２Ａ及び裏面２２Ｂを有し、表面２２Ａは、第１面１５の一部であり、裏面２２Ｂは、第２面１６の一部である。表面２２Ａには、郵便番号、住所、電話番号、ファクシミリ番号、メールアドレス等が記載され、裏面２０Ｂには文字が記載されている。
【００２２】
第７構成片２４は、正面視で略四角形、例えば、長方形であり、第７構成片２２は、折り部３６を介して第６構成片２３に接続され、かつ、折り部３７を介して第８構成片２５に接続されている。第７構成片２４は、表面２４Ａ及び裏面２４Ｂを有し、表面２４Ａは、第１面１５の一部であり、裏面２４Ｂは、第２面１６の一部である。表面２４Ａには、インターネット上で会社のウェブページを指定するＵＲＬ（Uniform Resource Locator）が記載され、裏面２４Ｂには文字、例えば、会社名、業種、代表者、設立年月日、営業時間、定休日等が記載されている。
【００２３】
第１外縁１１は、第１構成片１８、第７構成片２４及び第８構成片２５に亘って設けられている。第１外縁１２は、第３構成片２０、第４構成片２１及び第５構成片２２に亘って設けられている。第２外縁１３は、第１構成片１８、第２構成片１９及び第３構成片２０に亘って設けられている。第２外縁１４は、第５構成片２２、第６構成片２３及び第７構成片２４に亘って設けられている。
【００２４】
さらに、折り部２６，２７，２８，２９，３０，３１，３２，３３，３４，３５，３６，３７には、それぞれ折り癖が付与されている。折り部２６，２７，２８，２９，３０，３３，３５，３７に付与された折り癖は、名刺１０を図１のように平面視した状態で、折り部２６，２７，２８，２９，３０，３３，３５，３７が、それぞれ山折りされることを促進するものである。折り部３１，３２，３４，３６に付与された折り癖は、名刺１０を図１のように平面視した状態で、折り部３１，３２，３４，３６が、それぞれ谷折りされることを促進するものである。
【００２５】
つぎに、図１のように展開されている名刺１０を、ユーザが折り畳む作業を説明する。例えば、右手で第５構成片２２を掴み、かつ、左手で第１構成片１８を掴むとともに、図３のように、右手４０及び左手４１を中央片１７に近づける。すると、名刺１０に加わる力により、折り部２６，２７，２８，２９，３０，３３，３５，３７が、それぞれ山折りされ、かつ、折り部３１，３２，３４，３６が、それぞれ谷折りされる。ついで、図４のように、左手４１等で中央片１７付近を表裏から加圧し、名刺１０の全体を癖付けると、図５及び図６のように、名刺１０が折り畳まれた状態になる。名刺１０を折り畳む過程で、第１構成片１８、第２構成片１９、第３構成片２０、第４構成片２１、第５構成片２２、第６構成片２３、第７構成片２４及び第８構成片２５は、それぞれ中央片１７へ接近する。
【００２６】
折り畳まれた名刺１０を図５のように平面視すると、中央片１７は、第１構成片１８の一部、第３構成片２０の一部、第５構成片２２の一部、第７構成片２４の一部によって囲まれる。折り畳まれた名刺１０を図５のように平面視すると、名刺１０は、略四角形、具体的には、長方形である。折り畳まれた状態における名刺１０が、長辺が略９１ｍｍ、短辺が略５５ｍｍになるように、図１の展開状態における名刺１０の第１外縁１１，１２の長さが設計され、第２外縁１３，１４の長さが設計されている。折り畳まれた名刺１０を図６のように背面視すると、第１構成片１８の一部、第７構成片２４の一部、第３構成片２０の一部、第５構成片２２の一部が互いに隣接している。
【００２７】
折り畳まれている名刺１０を展開する場合は、右手４０及び左手４１で名刺１０を掴み、右手４０及び左手４１を離間させると、名刺１０が図４及び図３の状態を経由し、図1及び図２のように展開された状態になる。名刺１０を展開する過程で、、第１構成片１８、第２構成片１９、第３構成片２０、第４構成片２１、第５構成片２２、第６構成片２３、第７構成片２４及び第８構成片２５は、それぞれ中央片１７から離反する。
【００２８】
本実施形態の名刺１０は、折り畳まれた状態で、中央片１７に氏名が記載され、中央片１７の周囲を囲む位置に配置された複数の構成片のそれぞれに、会社名、住所、電話番号、ＵＲＬ等が記載されている。したがって、名刺１０に情報量を記載する構成片、つまり、領域の数をなるべく多くすることができ、利便性が向上する。また、名刺１０を展開する過程、または、名刺１０を折り畳む過程の何れにおいても、中央片１７が所定角度回転、具体的には９０度回転するため、名刺１０を目視する者に与えるインパクトが高い。特に、名刺１０を展開する過程、及び名刺１０を折り畳む過程において、中央片１７がユーザに接近するように立体的に移動するため、一層、インパクトが大きい。
【００２９】
本考案は、上記実施の形態に限定されるものではなく、その要旨を逸脱しない範囲で種々変更可能であることは言うまでもない。例えば、前述した名刺１０の長辺の寸法、短辺の寸法は一例であり、長辺は、例えば８５ｍｍから１２５ｍｍの範囲内で任意に選択可能であり、短辺は、例えば、４５ｍｍから８０ｍｍの範囲内で任意に選択可能である。
【００３０】
本実施形態で説明した事項の技術的意味の一例は、次の通りである。名刺１０は、名刺の一例であり、中央片１７は、主構成片の一例であり、第１構成片１８、第２構成片１９、第３構成片２０、第４構成片２１、第５構成片２２、第６構成片２３、第７構成片２４及び第８構成片２５は、副構成片の一例である。折り部２７，２８，２９，３０は、折り部の一例である。名刺１０に記載される文字、記号、ロゴ、マーク、図、写真、絵、模様等は、情報の一例である。折り部は、折り線またはヒンジと定義することも可能である。主構成片及び副構成片の何れに情報を記載するかは任意であり、また、表面または裏面の少なくとも一方に情報を記載可能である。
【符号の説明】
【００３１】
１０…名刺、１７…中央片、１８…第１構成片、１９…第２構成片、２０…第３構成片、２１…第４構成片、２２…第５構成片、２３…第６構成片、２４…第７構成片、２５…第８構成片、２７，２８，２９，３０…折り部
【図１】
0003233430.tif 000003
【図２】
0003233430.tif 000004
【図３】
0003233430.tif 000005
【図４】
0003233430.tif 000006
【図５】
0003233430.tif 000007
【図６】
0003233430.tif 000008
【手続補正書】
【提出日】令和3年4月14日(2021.4.14)
【手続補正１】
【補正対象書類名】実用新案登録請求の範囲
【補正対象項目名】全文
【補正方法】変更
【補正の内容】
【実用新案登録請求の範囲】
【請求項１】
折り畳み及び展開が可能な名刺において、
主構成片と、
前記主構成片の周囲を囲む位置に配置された複数の第１副構成片と、
前記主構成片と複数の前記第１副構成片との接続箇所にそれぞれ設けられた第１折り部と、
複数の前記第１副構成片に第２折り部を介して接続された複数の第２副構成片と、
複数の前記第１構成片及び複数の前記第２構成片に亘って設けられた外縁と、
を有する、名刺。
【請求項２】
請求項１記載の名刺において、
前記主構成片は、正方形であり、
前記第１折り部は、前記主構成片の４辺に相当する位置にそれぞれ設けられている、名刺。
【請求項３】
請求項１または請求項２記載の名刺において、
前記主構成片に情報が記載され、かつ、複数の前記第１副構成及び複数の前記第２副構成片の少なくとも１つ以上に情報が記載されている、名刺。
【手続補正２】
【補正対象書類名】明細書
【補正対象項目名】０００６
【補正方法】変更
【補正の内容】
【０００６】
本開示の名刺は、折り畳み及び展開が可能な名刺において、主構成片と、前記主構成片の周囲を囲む位置に配置された複数の第１副構成片と、前記主構成片と複数の前記第１副構成片との接続箇所にそれぞれ設けられた第１折り部と、複数の前記第１副構成片に第２折り部を介して接続された複数の第２副構成片と、複数の前記第１構成片及び複数の前記第２構成片に亘って設けられた外縁と、を有する。
【手続補正書】
【提出日】令和3年6月14日(2021.6.14)
【手続補正１】
【補正対象書類名】実用新案登録請求の範囲
【補正対象項目名】全文
【補正方法】変更
【補正の内容】
【実用新案登録請求の範囲】
【請求項１】
折り畳み及び展開が可能な名刺において、
主構成片と、
前記主構成片の周囲を囲む位置に配置された複数の第１副構成片と、
前記主構成片と複数の前記第１副構成片との接続箇所にそれぞれ設けられた第１折り部と、
複数の前記第１副構成片に第２折り部を介して接続された複数の第２副構成片と、
複数の前記第１副構成片及び複数の前記第２副構成片に亘って設けられた外縁と、
を有する、名刺。
【請求項２】
請求項１記載の名刺において、
前記主構成片は、正方形であり、
前記第１折り部は、前記主構成片の４辺に相当する位置にそれぞれ設けられている、名刺。
【請求項３】
請求項１または請求項２記載の名刺において、
前記主構成片に情報が記載され、かつ、複数の前記第１副構成片及び複数の前記第２副構成片の少なくとも１つ以上に情報が記載されている、名刺。
【手続補正２】
【補正対象書類名】明細書
【補正対象項目名】０００６
【補正方法】変更
【補正の内容】
【０００６】
本開示の名刺は、折り畳み及び展開が可能な名刺において、主構成片と、前記主構成片の周囲を囲む位置に配置された複数の第１副構成片と、前記主構成片と複数の前記第１副構成片との接続箇所にそれぞれ設けられた第１折り部と、複数の前記第１副構成片に第２折り部を介して接続された複数の第２副構成片と、複数の前記第１副構成片及び複数の前記第２副構成片に亘って設けられた外縁と、を有する。